(57)【要約】      （修正有）【課題】容易に展開することができるウエットシートを提供する。【解決手段】ウエットシート３は、薬液等が含浸したことで湿潤したシートが、蛇腹状に折り畳まれて長手に形成され、長手方向の全長を二分して折り畳まれたものである。【選択図】図４
0003220280.tif 000002
【実用新案登録請求の範囲】
【請求項１】
湿潤したシートが、蛇腹状に折り畳まれて形成された、
ことを特徴とするウエットシート。
【請求項２】
方形の前記シートのうち、一方の端部を含む第一端部と、
前記シートのうち、他方の端部を含む第二端部と、
前記第一端部と前記第二端部とに連接された蛇腹層部と、を有する、
ことを特徴とする請求項１に記載されたウエットシート。
【請求項３】
前記第一端部または／および前記第二端部が、前記蛇腹層部に対してずれている、
ことを特徴とする請求項２に記載されたウエットシート。
【請求項４】
長手方向の全長を二分して折り畳まれた、
ことを特徴とする請求項１から請求項３のいずれか１項に記載されたウエットシート。
【請求項５】
複数層で前記シートが構成された、
ことを特徴とする請求項１から請求項４のいずれか１項に記載されたウエットシート。
【請求項６】
請求項１から請求項５のいずれか１項に記載された前記ウエットシートが、長手の収容袋に収容された、
ことを特徴とするウエットシート収容体。
【考案の詳細な説明】
【技術分野】
【０００１】
本考案は、ウエットシートおよびウエットシート収容体に関するものである。
【背景技術】
【０００２】
従来、水や薬液（以下、「薬液等」と記す。）が含浸して湿潤したウエットシートは、例えば、下記特許文献１に記載されたポケット型紙おしぼりのように、折り畳まれて袋に収容されている。このポケット型紙おしぼりは、長方形の原紙が、いわゆる観音折りされ、さらに観音折りと同じ方向に二つ折りされ、最後に、観音折りの方向と直交する方向に二つ折りされる。
【先行技術文献】
【特許文献】
【０００３】
【特許文献１】特開２００６−２０４３８７号公報
【考案の概要】
【考案が解決しようとする課題】
【０００４】
しかし、上記したとおり、ポケット型紙おしぼりは、何度も異なる方向に折り畳まれているため、広げるまでの間に、利用者が両手で何度も展開する必要がある。例えば、高齢者や障害者など、手指が不自由な者が、何度も折り畳まれた紙おしぼりを使用する場合、不便である。
【０００５】
本考案は、上記の実情に鑑みて提案されたものである。すなわち、容易に展開することができるウエットシートおよびウエットシート収容体の提供を目的とする。
【課題を解決するための手段】
【０００６】
上記目的を達成するために、本考案に係るウエットシートは、湿潤したシートが、蛇腹状に折り畳まれて形成された、ことを特徴とする。
【０００７】
本考案に係るウエットシートは、方形の前記シートのうち、一方の端部を含む第一端部と、前記シートのうち、他方の端部を含む第二端部と、前記第一端部と前記第二端部とに連接された蛇腹層部と、を有する、ことを特徴とする。
【０００８】
本考案に係るウエットシートは、前記第一端部または／および前記第二端部が、前記蛇腹層部に対してずれている、ことを特徴とする。
【０００９】
本考案に係るウエットシートは、長手方向の全長を二分して折り畳まれた、ことを特徴とする。
【００１０】
本考案に係るウエットシートは、複数層で前記シートが構成された、ことを特徴とする。
【００１１】
本考案に係るウエットシート収容体は、前記ウエットシートが、長手の収容袋に収容された、ことを特徴とする。
【考案の効果】
【００１２】
本考案に係るウエットシートは、湿潤したシートが、蛇腹状に折り畳まれたものである。この構成により、利用者が、ウエットシートの端を把持して振り下ろすことで、ウエットシートが展開する。したがって、容易にウエットシートを展開することができる。
【００１３】
本考案に係るウエットシートは、方形のシートのうち、一方の端部を含む第一端部と、シートのうち、他方の端部を含む第二端部と、第一端部と第二端部とに連接された蛇腹層部とを有している。この構成により、利用者が、第一端部または第二端部を把持して振り下ろすことで、蛇腹層部が広がって方形のシートに展開する。したがって、容易にウエットシートを展開することができる。
【００１４】
本考案に係るウエットシートは、第一端部または／および第二端部が、蛇腹層部に対してずれている。この構成により、第一端部または／および第二端部の端と蛇腹層部との境界が顕著となる。したがって、第一端部または／および第二端部を容易に把持することができる。
【００１５】
本考案に係るウエットシートは、長手方向の全長を二分して折り畳まれている。この構成により、折り畳まれる前のシートが大きな場合であっても、小さく折り畳むことができる。また、利用者が、ウエットシートの端を把持して振り下ろすことで、二つ折りの状態から、折られていない状態となり、同時に、シートに展開する。したがって、容易にウエットシートを展開することができる。
【００１６】
本考案に係るウエットシートは、複数層でシートが構成されている。この構成により、折り畳まれる前のシートが大きな場合であっても、予め所定の大きさに折り畳むことで複数層のシートとなり、さらに蛇腹形状にすることで、小さく折り畳むことができる。
【００１７】
本考案に係るウエットシート収容体は、ウエットシートが、長手の収容袋に収容されている。すなわち、ウエットシート収容体は、折り畳まれる前のシートが大きな場合であっても、蛇腹状に折り畳まれて小型であり、長手の収容袋に収容されたことで、利用者にとって扱いやすい大きさ、形状を実現することができる。
【図面の簡単な説明】
【００１８】
【図１】図１は、本考案の第一実施形態に係るウエットシートの外観斜視図である。
【図２】図２は、折り畳まれる前の本考案の第一実施形態に係るウエットシートの外観斜視図である。
【図３】図３は、本考案の第一実施形態に係るウエットシートが折り畳まれる途中の状態が示された外観斜視図である。
【図４】図４は、本考案の第一実施形態に係るウエットシートが折り畳まれる途中の状態が示された外観斜視図である。
【図５】図５は、本考案の第一実施形態に係るウエットシート収容体の外観斜視図である。
【図６】図６は、本考案の第二実施形態に係るウエットシートの外観斜視図である。
【考案を実施するための形態】
【００１９】
以下、本発明の第一実施形態に係るウエットシートおよびウエットシート収容体を図面に基づいて説明する。図１は、ウエットシート１の外観が示され、図２は、折り畳まれる前のウエットシート１（以下、折り畳まれる前のウエットシートを、「シート」と記す。）の外観が示され、図３は、蛇腹状に折り畳まれたシート（以下、蛇腹状に折り畳まれたシートを、「蛇腹シート」と記す。）が示され、図４は、蛇腹シート３がウエットシート１となる途中の状態が示されている。図５は、ウエットシート収容体４の外観が示されている。
【００２０】
図１に示されているとおり、ウエットシート１は、薬液等が含浸したことで湿潤したシート２が、蛇腹状に折り畳まれて長手に形成されたものである。
【００２１】
図２に示されているとおり、シート２は、正方形または長方形であり、単一層または複数層で構成されている。複数層は、例えば、ほぼ同形の複数のシート２が積層され、または、単一の大きなシート２が複数回折り畳まれて、構成されている。シート２の素材は、例えば、レーヨン、ポリエステルなどである。一方、薬液等の成分は、水、アルコール、界面活性剤などである。
【００２２】
図３に示されているとおり、蛇腹シート３は、一方の端部を含む第一端部５と、この第一端部５に対してほぼ平行な他方の端部を含む第二端部６と、第一端部５と第二端部６との間に連接された蛇腹層部７とを有している。蛇腹層部７は、ほぼ同形の複数の層から構成され、第一蛇腹層部８、第二蛇腹層部９、第三蛇腹層部１０、第四蛇腹層部１１、第五蛇腹層部１２を有している。第一蛇腹層部８は、裏側の面に向けて折り畳まれて、第一端部５の裏側の面と対面している。第二蛇腹層部９は、表側の面に向けて折り畳まれて、第一蛇腹層部８の表側の面と対面している。第三蛇腹層部１０は、裏側の面に向けて折り畳まれて、第二蛇腹層部９の裏側の面と対面している。第四蛇腹層部１１は、表側の面に向けて折り畳まれて、第三蛇腹層部１０の表側の面と対面している。第五蛇腹層部１２は、裏側の面に向けて折り畳まれて、第四蛇腹層部１１の裏側の面と対面している。第二端部６は、表側の面に向けて折り畳まれて、第五蛇腹層部１２の表側の面と対面している。なお、各蛇腹層部の数や幅は任意である。
【００２３】
図４に示されているとおり、蛇腹シート３は、長手方向の全長を二分して折り畳まれることで、ウエットシート１となる（図１参照。）。
【００２４】
ロール状に巻かれた長尺のシートである原紙の原反ロール（図示省略）から、原紙が送り出されると共に折り板（図示省略）を通って蛇腹状に折り畳まれる。原紙に薬液等が含浸させられ、所定の大きさに切断されて蛇腹シート３が形成される。この蛇腹シート３のほぼ中央が、突起部材（図示省略）で突かれ、二つ折りに畳まれてウエットシート１が形成される。ウエットシート１は、収容袋１３に収容される。なお、製造工程は、原紙が所定の大きさに切断されてシート２が形成された後に、このシート２が折り板を通って蛇腹シート３が形成されてもよい。
【００２５】
図５に示されているとおり、ウエットシート収容体４は、収容袋１３の内部にウエットシート１が収容されたものである。収容袋１３は、長手の長方形である。ウエットシート収容体４は、ウエットシート１の厚みによって、板状または棒状である。
【００２６】
以上のとおり、ウエットシート１およびウエットシート収容体４が構成されている。
【００２７】
次に、ウエットシート１およびウエットシート収容体４の効果を説明する。
【００２８】
上記したとおり、ウエットシート１は、湿潤したシート２が、蛇腹状に折り畳まれたものである（図１参照。）。この構成により、利用者が、ウエットシート１の第一端部５または第二端部６を把持して振り下ろすことで、ウエットシート１が展開する。したがって、容易にウエットシート１を展開することができる。
【００２９】
ウエットシート１は、方形のシート２のうち、一方の端部を含む第一端部５と、この第一端部５に対してほぼ平行な他方の端部を含む第二端部６と、第一端部５と第二端部６との間に連接された複数の各蛇腹層部８，９，１０，１１，１２とを有している（図３参照。）。この構成により、利用者が、第一端部５または第二端部６を把持して振り下ろすことで、各蛇腹層部８，９，１０，１１，１２が広がって方形のシート２に展開する。したがって、容易にウエットシート１を展開することができる。
【００３０】
ウエットシート１は、蛇腹シート３における長手方向の全長を二分して折り畳まれることで形成されている（図４参照。）。この構成により、シート２が大きな場合であっても、小さく折り畳むことができる。また、利用者が、ウエットシート１の第一端部５または第二端部６を把持して振り下ろすことで、二つ折りの状態から、折られていない状態となり、同時に、シート２に展開する。したがって、容易にウエットシート１を展開することができる。
【００３１】
ウエットシート１は、単一層または複数層でシート２が構成されている。折り畳まれる前のシート２が大きな場合であっても、予め所定の大きさに折り畳むことで複数層のシート２となり、さらに蛇腹形状にすることで、小さく折り畳むことができる。例えば、製造工程において、大きな原紙が折り板を通ることで所定の大きさに折り畳まれ、さらに折り板を通って蛇腹形状となり、小さく折り畳まれる。
【００３２】
ウエットシート収容体４は、ウエットシート１が、長手の収容袋１３に収容されている。すなわち、ウエットシート収容体４は、折り畳まれる前のシート２が大きな場合であっても、蛇腹状に折り畳まれて小型であり、長手の収容袋１３に収容されたことで、利用者にとって扱いやすい大きさ、形状を実現することができる。
【００３３】
なお、図６に示されているとおり、本考案の第二実施形態に係るウエットシート２１は、第一端部２５および第二端部２６が、蛇腹層部２７に対して幅方向にずれている。すなわち、第一端部２５の端および第二端部２６の端と蛇腹層部２７との境界が顕著である。したがって、第一端部２５および第二端部２６を容易に把持することができる。なお、第一端部２５または第二端部２６のいずれかが、蛇腹層部２７に対して幅方向にずれていてもよい。
【００３４】
本考案の他の実施形態に係るウエットシートは、蛇腹状に折り畳まれて長手に形成されたものであって、長手方向の全長を二分して折り畳まれていない構成であってもよい（図３参照。）。
【００３５】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３６】
１，２１    ウエットシート
２          シート
３          蛇腹シート
４          ウエットシート収容体
５，２５    第一端部
６，２６    第二端部
７          蛇腹層部
８          第一蛇腹層部
９          第二蛇腹層部
１０        第三蛇腹層部
１１        第四蛇腹層部
１２        第五蛇腹層部
１３        収容袋
【図１】
0003220280.tif 000003
【図２】
0003220280.tif 000004
【図３】
0003220280.tif 000005
【図４】
0003220280.tif 000006
【図５】
0003220280.tif 000007
【図６】
0003220280.tif 000008